(57)【要約】【課題】工数の削減を図ることができるランプ保護カバー取付け構造を提供すること。【解決手段】車体側に取り付けられる意匠部と、光源を有し意匠部に組み付けられる機能部３０と、からなるランプを車体側に取り付ける際に用いるランプ保護カバー取付け構造であって、少なくとも機能部３０の光源を覆う光源被覆部１４，１５を備えるとともに、機能部３０に有する機能部側係合部に係合するカバー側被係合部を備えたランプ保護カバー１０を用い、ランプ保護カバー１０の意匠部への挿入により、カバー側被係合部の機能部側係合部への係合を解除して、機能部側係合部を意匠部に有する意匠部側被係合部に係合可能なランプ保護カバー取付け構造。【選択図】図１
2007230254.tif 000002
【特許請求の範囲】
【請求項１】
車体側に取り付けられる意匠部と、光源を有し該意匠部に組み付けられる機能部と、からなるランプを該車体側に取り付ける際に用いるランプ保護カバー取付け構造であって、
少なくとも前記機能部の光源を覆う光源被覆部を備えるとともに、該機能部に有する機能部側係合部に係合するカバー側被係合部を備えたランプ保護カバーを用い、該ランプ保護カバーの前記意匠部への挿入により、該カバー側被係合部の該機能部側係合部への係合を解除して、前記機能部側係合部を該意匠部に有する意匠部側被係合部に係合可能なことを特徴とするランプ保護カバー取付け構造。
【請求項２】
前記意匠部が、前記ランプ保護カバーの挿入時に、前記カバー側被係合部の前記機能部側係合部からの係合を解除するための解除部を備えていることを特徴とする請求項１に記載したランプ保護カバー取付け構造。
【請求項３】
前記機能部側係合部が、前記ランプ保護カバーの前記カバー側被係合部への係合と、前記意匠部の前記意匠部側被係合部への係合と、を兼用することを特徴とする請求項１または請求項２に記載したランプ保護カバー取付け構造。
【請求項４】
前記ランプ保護カバーが、前記意匠部への挿入に伴い、少なくとも前記光源被覆部が展開可能なことを特徴とする請求項１〜請求項３のいずれか一項に記載したランプ保護カバー取付け構造。
【請求項５】
車体側に取り付けられる意匠部と、光源を有し該意匠部に組み付けられる機能部と、からなるランプを該車体側に取り付ける際に用いるランプ保護カバー取付け構造であって、
少なくとも前記機能部の光源を覆う光源被覆部を備えるとともに、該機能部に有する機能部側係合部に係合するカバー側被係合部を備えたランプ保護カバーを用い、該ランプ保護カバーを前記意匠部へ挿入させ、該カバー側被係合部を該機能部側係合部から係合解除し、前記機能部側係合部を該意匠部に有する意匠部側被係合部に係合させる方法により、前記ランプを前記車体側に取り付ける際に該ランプを保護することを特徴とするランプ保護カバー取付け構造。
【発明の詳細な説明】
【技術分野】
【０００１】
本発明は、レンズ、スイッチ等で構成され車体パネルに取り付けられる意匠部と、光源をもち意匠部に取り付けられる機能部と、からなるランプを車体パネルに取り付ける際に用いるランプ保護カバー取付け構造に関する。
【背景技術】
【０００２】
従来のランプ保護カバー取付け構造として、一端を閉塞したキャップ形状に形成されたランプ保護カバー１００を用いたものが知られている（例えば、特許文献１参照）。
【０００３】
図１１に示すように、特許文献１に開示されたランプ保護カバー１００は、閉塞端１０１の反対側がコネクタ挿入端１０２になっており、コネクタ挿入端１０２に折り返し筒部１０３を有する。コネクタ挿入端１０２より差し込まれたコネクタ１０４は、折り返し筒部１０３に囲まれた内部を通り、内端の開口１０５を通過して閉塞端１０１へと挿入される。そして、不図示の車体パネルの貫通孔に通し、コネクタ１０４に接続されているワイヤハーネス１０６を引っ張ることで折り返し筒部１０３がひっくり返り、コネクタ１０４を車体パネル内に配置するようにしている。
【０００４】
【特許文献１】特開２００３−３６２２５７号公報（図１、図２）
【発明の開示】
【発明が解決しようとする課題】
【０００５】
ところが、上記特許文献１に開示された従来のランプ保護カバー取付け構造においては、作業者は、車体パネルに通した際に、ランプ保護カバー１００を片手で押さえ、もう一つの手でワイヤハーネス１０６を引っ張らなければならない。そのため、作業性が良好ではなく、工数の増大をまねいていた。
【０００６】
本発明は、上述した事情に鑑みてなされたものであり、その目的は、工数の削減を図ることができるランプ保護カバー取付け構造を提供することにある。
【課題を解決するための手段】
【０００７】
１）本発明に係るランプ保護カバー取付け構造は、車体側に取り付けられる意匠部と、光源を有し該意匠部に組み付けられる機能部と、からなるランプを該車体側に取り付ける際に用いるランプ保護カバー取付け構造であって、
少なくとも前記機能部の光源を覆う光源被覆部を備えるとともに、該機能部に有する機能部側係合部に係合するカバー側被係合部を備えたランプ保護カバーを用い、該ランプ保護カバーの前記意匠部への挿入により、該カバー側被係合部の該機能部側係合部への係合を解除して、前記機能部側係合部を該意匠部に有する意匠部側被係合部に係合可能なことを特徴とする。
【０００８】
上記１）に記載の発明によれば、ワイヤハーネスの製造ラインにおいて、ランプ保護カバーの光源被覆部を、ワイヤハーネスに接続された機能部の光源に被せ、カバー側被係合部を機能部の機能部側係合部に係合させたサブアッセンブリ形態で取り扱われる。これにより、機能部が他の部材に衝突したとしても、ランプ保護カバーによって保護されているために、損傷等を生ずることなく、製品の品質が保障される。そして、機能部とともにランプ保護カバーを意匠部へ挿入することにより、ランプ保護カバーのカバー側被係合部が機能部の機能部側係合部から外れた後に、機能部の機能部側係合部が意匠部の意匠部側被係合部に係合される。従って、作業者は、ランプ保護カバーを意匠部へ挿入するだけで、ランプ保護カバーを取り外せるとともに、機能部を意匠部へ組み付けることができるために、一連の作業を片手で行えるので、工数の大幅な削減を図ることができる。
【０００９】
２）また、本発明に係るランプ保護カバー取付け構造は、上記１）に記載のランプ保護カバー取付け構造において、前記意匠部が、前記ランプ保護カバーの挿入時に、前記カバー側被係合部の前記機能部側係合部からの係合を解除するための解除部を備えていることを特徴とする。
【００１０】
上記２）に記載の発明によれば、機能部とともにランプ保護カバーが意匠部に挿入された際に、意匠部の解除部がランプ保護カバーのカバー側被係合部を機能部の機能部側係合部から外すことで、ランプ保護カバーを機能部から確実に分離させることができる。
【００１１】
３）また、本発明に係るランプ保護カバー取付け構造は、上記１）または上記２）に記載のランプ保護カバー取付け構造において、前記機能部側係合部が、前記ランプ保護カバーの前記カバー側被係合部への係合と、前記意匠部の前記意匠部側被係合部への係合と、を兼用することを特徴とする。
【００１２】
上記３）に記載の発明によれば、機能部の機能部側係合部は、ランプ保護カバーが被覆されている際にカバー側被係合部に係合されている。そして、ランプ保護カバーが意匠部に挿入されることで、意匠部の意匠部側被係合部に係合される。これにより、機能部側係合部を、ランプ保護カバーとの係合と、意匠部との係合とに兼用できるので、機能部側係合部を単一の構造として作成することで、機能部を簡潔な構造にすることができる。
【００１３】
４）また、本発明に係るランプ保護カバー取付け構造は、上記１）〜上記３）のいずれかに記載のランプ保護カバー取付け構造において、前記ランプ保護カバーが、前記意匠部への挿入に伴い、少なくとも前記光源被覆部が展開可能なことを特徴とする。
【００１４】
上記４）に記載の発明によれば、少なくとも光源被覆部をヒンジ等で連結しておき、ランプ保護カバーが意匠部に挿入されてきた際にランプ保護カバーが展開するようにしておけば、ランプ保護カバーを意匠部に挿入するだけで、機能部を意匠部へ簡単に落とし込むことができる。また、機能部が分離した後の使用後にランプ保護カバーが機能部を被覆するときの展開状態になっているために、回収した後に行う再使用に際し、新たな機能部への被覆作業がし易い。
【００１５】
５）また、本発明に係るランプ保護カバー取付け構造は、車体側に取り付けられる意匠部と、光源を有し該意匠部に組み付けられる機能部と、からなるランプを該車体側に取り付ける際に用いるランプ保護カバー取付け構造であって、
少なくとも前記機能部の光源を覆う光源被覆部を備えるとともに、該機能部に有する機能部側係合部に係合するカバー側被係合部を備えたランプ保護カバーを用い、該ランプ保護カバーを前記意匠部へ挿入させ、該カバー側被係合部を該機能部側係合部から係合解除し、前記機能部側係合部を該意匠部に有する意匠部側被係合部に係合させる方法により、前記ランプを前記車体側に取り付ける際に該ランプを保護することを特徴とする。
【００１６】
上記５）に記載の発明によれば、機能部を覆って組み付けられているランプ保護カバーを、機能部とともに意匠部へ挿入させることで、ランプ保護カバーのカバー側被係合部を機能部の機能部側係合部から外して、機能部側係合部を意匠部の意匠部側被係合部に係合させる方法を用いることにより、ランプを車体側に取り付ける際にランプを保護するランプ保護カバーの取り付けと取り外しとを簡単に行うことができるので、工数の大幅な削減を図ることができる。
【発明の効果】
【００１７】
本発明のランプ保護カバーによれば、作業性が良好ではない、工数の増大をまねく、という問題を解決でき、これにより、工数の削減を図ることができるという効果が得られる。
【発明を実施するための最良の形態】
【００１８】
以下、本発明に係る複数の好適な実施の形態例を図面に基づいて詳細に説明する。
【００１９】
（第１実施形態）
図１は本発明のランプ保護カバー取付け構造の第１実施形態を用いたランプ保護カバーの外観斜視図、図２は図１に示すランプ保護カバーのI−I線断面図、図３は図１に示すランプ保護カバーのII−II線断面図、図４は図１に示すランプ保護カバーの使用状態を説明する外観斜視図、図５は図４に示すランプ保護カバーの組み付け手順を説明する第１段階の縦断面図、図６はランプ保護カバーの組み付け手順を説明する第２段階の縦断面図、図７はランプ保護カバーの組み付け手順を説明する第３段階の縦断面図、図８はランプ保護カバーの組み付け手順を説明する第４段階の縦断面図である。
【００２０】
図１に示すように、本発明のランプ保護カバー取付け構造の第１実施形態に用いられるランプ保護カバー１０は、ヒンジ１３を介して連結された一対の本体被覆部１１，１２と、本体被覆部１１，１２にそれぞれ連設された一対の光源被覆部１４，１５と、を備えており、比較的薄い樹脂によって成形されている。
【００２１】
一方の本体被覆部１１は、図１中の上方に配置された天板１６と、図１中の右方に配置された側板１７と、図１中の前方に配置された前板１８と、によって三方を囲んで形成されている。そして、前板１８の上部には、ロック機構の一部を構成する係止突起１９が突出形成されている。
【００２２】
他方の本体被覆部１２は、ヒンジ１３を中心に一方の本体被覆部１１に対称にして、図１中の上方に配置された天板２０と、図１中の左方に配置された側板（図２参照）２１と、図１中の前方に配置された前板２２と、によって三方を囲んで形成されている。そして、前板２２の上部には、ロック機構の残りの一部を構成する係止片２３が形成されている。
【００２３】
一方の光源被覆部１４は、前板１８側の基端側が半四角筒形状に形成され、先端部が半球形状に形成されており、基端部が前板１８に結合されている。一方の光源被覆部１４は、内側が一方の本体被覆部１１の内側に連通されている。
【００２４】
他方の光源被覆部１５は、一方の光源被覆部１４に対称にして、前板２２側の基端側が半四角筒形状に形成され、先端部が半球形状に形成されており、基端部が前板２２に結合されている。他方の光源被覆部１５は、一方の光源被覆部１４と同様にして、内側が他方の本体被覆部１２の内側に連通されている。
【００２５】
ヒンジ１３は、一方の本体被覆部１１の天板１６の中央端縁と、他方の本体被覆部１２の天板２０の中央端縁と、に連結されているために、一方の本体被覆部１１および光源被覆部１４と、他方の本体被覆部１２および光源被覆部１５と、をそれぞれの前板１８，２２とそれぞれの光源被覆部１４，１５とが離れるように展開させることができる。なお、ヒンジ１３は、薄肉状にしてランプ保護カバー１０に一体成形されているが、これとは異なり、テープ等を用いて両本体被覆部１１，１２を連結するようにしても良い。
【００２６】
図２、図３に示すように、ランプ保護カバー１０は、一方の本体被覆部１１の側板１７と、他方の本体被覆部１２の側板２１と、の中央位置にカバー側被係合部２４，２５がそれぞれ形成されている。また、一方の本体被覆部１１の側板１７と、他方の本体被覆部１２の側板２１と、の下端部にテーパ面状に傾斜した傾斜面２６，２７がそれぞれ形成されている。なお、傾斜面２６，２７は、必ずしも必要ではないので、形成しないでも良い。
【００２７】
図４に示すように、ランプ保護カバー１０は、機能部３０と意匠部４０とから構成されるランプ（図８に示す。）１を不図示の車体パネルに取り付ける際に用いられる。
【００２８】
機能部３０は、各種回路素子を内蔵した機能部本体３１と、この機能部本体３１から突出している光源（図５参照）３２と、を備えており、機能部本体３１からランプ用ワイヤハーネス３３が引き出されている。機能部本体３１は、四角形の箱形状に形成されており、両側部に、凹溝状をなす機能部側係合部３４，３５（機能部側係合部３５は図５に示す。）がそれぞれ形成されている。光源３２は、円柱形状にして機能部本体３１から突出している。
【００２９】
意匠部４０は、四角形の枠形状に形成されており、一対の機能部固定用板４１，４２がそれぞれ突出形成されている。これら一対の機能部固定用板４１，４２には、それぞれの先端部にテーパ面状に傾斜した解除部４３，４４（解除部４４は図５に示す。）が形成されており、それぞれの内面に突起形状の意匠部側被係合部４５，４６が形成されている。意匠部４０は、機能部３０が機能部固定用板４１，４２の内側に押し込まれてくることで、意匠部側被係合部４５，４６が機能部３０の機能部側係合部３４，３５にそれぞれ係合して機能部３０を所定位置に組み付ける。
【００３０】
ランプ保護カバー１０は、展開状態にしておいて、一方、他方の光源被覆部１４，１５を機能部３０の光源３２に被せるとともに、一方、他方の本体被覆部１１，１２を機能部３０の機能部本体３１に被せてから閉塞し、係止片２３を係止突起１９に係止させる。これにより、ランプ保護カバー１０は、カバー側被係合部２４，２５が機能部側係合部３４，３５にそれぞれ係合することで機能部３０を保持する。ワイヤハーネスの製造ラインにおいては、ランプ保護カバー１０が機能部３０を保持しているサブアッセンブリ形態で取り扱われる。これにより、搬送中に、機能部３０が他の部材に衝突したとしても、ランプ保護カバー１０によって保護されているために、損傷等を生ずることがない。
【００３１】
サブアッセンブリ形態のランプ保護カバー１０は、車体組立工程に搬送され、機能部３０が、以後の工程を経て意匠部４０に組み付けられる。
【００３２】
図５に示すように、まず、ランプ保護カバー１０が意匠部４０の上方に配置される。このとき、機能部３０は、ランプ保護カバー１０のカバー側被係合部２４，２５によって機能部側係合部３４，３５が保持されている。
【００３３】
図６に示すように、機能部３０を保持しているランプ保護カバー１０が意匠部４０に向けて押圧進行される。この作業は、作業者の片手で行われる。ランプ保護カバー１０が意匠部４０に向けて進行することで、ランプ保護カバー１０の両側板１７，２１の両傾斜面２６，２７が意匠部４０の機能部固定用板４１，４２の先端部の解除部４３，４４に衝突する。これにより、ランプ保護カバー１０は、両側板１７，２１が外側にわずかに変形することで、両側板１７，２１と機能部３０との間に機能部固定用板４１，４２を誘い込む。このとき、機能部３０は、ランプ保護カバー１０のカバー側被係合部２４，２５によって保持されたままである。
【００３４】
図７に示すように、ランプ保護カバー１０の押圧進行が進むことで、ランプ保護カバー１０は、両側板１７，２１が外側に大きく変形していくために、係止片２３が係止突起１９から外れ、両本体被覆部１１，１２および両光源被覆部１４，１５がヒンジ１３を介して展開されていく。これにより、機能部３０は、機能部側係合部３４，３５がランプ保護カバー１０のカバー側被係合部２４，２５から外れ、両本体被覆部１１，１２および両光源被覆部１４，１５の展開により機能部本体３１および光源３２が露出される。そして、ランプ保護カバー１０の押圧進行がさらに進むことで、機能部３０がランプ保護カバー１０から分離される。
【００３５】
図８に示すように、ランプ保護カバー１０が取り外された機能部３０は、さらに押圧進行されるために、機能部固定用板部４１，４２の内側において、機能部側係合部３４，３５が意匠部側被係合部４５，４６にそれぞれ係合され、機能部３０の意匠部４０における所定位置への組み付けが完了したランプ１が得られる。
【００３６】
ランプ保護カバー１０は、展開されて機能部３０から分離された後に、その形態で回収され、ワイヤハーネスの製造ラインに搬送されて再使用される。
【００３７】
以上説明したように、本発明のランプ保護カバー取付け構造の第１実施形態によれば、ワイヤハーネスの製造ラインにおいて、ランプ保護カバー１０の光源被覆部１４，１５を、ランプ用ワイヤハーネス３３に接続された機能部３０の光源３２に被せ、カバー側被係合部２４，２５を機能部３０の機能部側係合部３４，３５に係合させたサブアッセンブリ形態で取り扱われる。これにより、機能部３０が他の部材に衝突したとしても、ランプ保護カバー１０によって保護されているために、損傷等を生ずることなく、製品の品質を保障することができる。そして、機能部３０とともにランプ保護カバー１０を意匠部４０へ挿入することにより、ランプ保護カバー１０のカバー側被係合部２４，２５が機能部３０の機能部側係合部３４，３５から外れた後に、機能部３０の機能部側係合部３４，３５が意匠部４０の意匠部側被係合部４５，４６に係合される。これにより、作業者は、ランプ保護カバー１０を意匠部４０へ挿入するだけで、ランプ保護カバー１０を取り外せるとともに、機能部３０を意匠部４０へ組み付けることができるために、一連の作業を片手で行えるので、工数の大幅な削減を図ることができる。
【００３８】
また、本発明のランプ保護カバー取付け構造の第１実施形態によれば、機能部３０とともにランプ保護カバー１０が意匠部４０に挿入された際に、意匠部４０の解除部４３，４４がランプ保護カバー１０のカバー側被係合部２４，２５を機能部３０の機能部側係合部３４，３５から外すことで、ランプ保護カバー１０を機能部３０から確実に分離させることができる。
【００３９】
また、本発明のランプ保護カバー取付け構造の第１実施形態によれば、機能部３０の機能部側係合部３４，３５は、ランプ保護カバー１０が被覆されている際にカバー側被係合部２４，２５に係合されている。そして、ランプ保護カバー１０が意匠部４０に挿入されることで、意匠部４０の意匠部側被係合部４５，４６に係合される。これにより、機能部側係合部３４，３５を、ランプ保護カバー１０との係合と、意匠部４０との係合とに兼用できるので、機能部側係合部３４，３５を単一の構造として作成することで、機能部３０を簡潔な構造にすることができる。
【００４０】
また、本発明のランプ保護カバー取付け構造の第１実施形態によれば、光源被覆部１４，１５および本体被覆部１１，１２がヒンジ１３で連結され、ランプ保護カバー１０が意匠部４０に挿入されてきた際にランプ保護カバー１０が展開するために、ランプ保護カバー１０を意匠部４０に挿入するだけで、機能部３０を意匠部４０へ簡単に落とし込むことができる。また、機能部３０が分離した後の使用後にランプ保護カバー１０が機能部３０を被覆するときの展開状態になっているために、回収した後に行う再使用に際し、新たな機能部３０への被覆作業がし易い。
【００４１】
また、本発明のランプ保護カバー取付け構造の第１実施形態によれば、機能部３０を覆って組み付けられているランプ保護カバー１０を、機能部３０とともに意匠部４０へ挿入させることで、ランプ保護カバー１０のカバー側被係合部２４，２５を機能部３０の機能部側係合部３４，３５から外して、機能部側係合部３４，３５を意匠部４０の意匠部側被係合部４５，４６に係合させる方法を用いることにより、ランプ１を車体側に取り付ける際にランプ１を保護するランプ保護カバー１０の取り付けと取り外しとを簡単に行うことができるので、工数の大幅な削減を図ることができる。
【００４２】
（第２実施形態）
次に、図９および図１０を参照して本発明のランプ保護カバー取付け構造の第２実施形態を用いたランプ保護カバーについて説明する。なお、第２実施形態の説明において、既に説明したものと同様な構成・作用を有するものについては同一符号または相当符号を付し、それらの説明は省略または簡略化する。図９は本発明のランプ保護カバー取付け構造の第２実施形態を用いたランプ保護カバーの外観斜視図、図１０は図９に示すランプ保護カバーの組み付け手順を説明する縦断面図である。
【００４３】
図９に示すように、本発明のランプ保護カバー取付け構造の第２実施形態に用いられるランプ保護カバー５０は、本体被覆部と光源被覆部とを一体に形成したカバー本体５１を備えている。
【００４４】
カバー本体５１は、天板５２と、一対の側板５３，５４（図９中後方の側板５４は図１０に示す。）と、前板５５と、によって三方を囲んで形成されており、側板５３，５４に形成されている可撓片５６，５７の内面にカバー側被係合部（図１０参照）５８，５９を有する。可撓片５６，５７は、側板５３，５４に空隙を介して突出形成されているために、意匠部４０の機能部固定用板４１，４２が内側に挿入されることで外側に向けてそれぞれ撓む。
【００４５】
図１０に示すように、ランプ保護カバー５０は、カバー側被係合部５８，５９が機能部側係合部３４，３５に係合されることで機能部３０を保持し、意匠部４０に上方から押圧進行される。
【００４６】
機能部３０を保持しているランプ保護カバー５０が意匠部４０に向けて押圧進行されることで、可撓片５６，５７と機能部３０との間が意匠部４０の機能部固定用板４１，４２に入り込み、そして可撓片５６，５７のカバー側被係合部５８，５９が機能部固定用板４１，４２の先端部の解除部４３，４４に衝突する。これにより、ランプ保護カバー５０は、両可撓片５６，５７が外側に撓み、機能部３０の機能部側係合部３４，３５がカバー側被係合部５８，５９から外れ、機能部３０がランプ保護カバー５０から分離される。
【００４７】
そして、ランプ保護カバー５０が取り外された機能部３０は、さらに押圧進行されることで、機能部固定用板部４１，４２の内側において、機能部側係合部３４，３５が意匠部側被係合部４５，４６にそれぞれ係合され、機能部３０の意匠部４０における所定位置への組み付けが完了する。
【００４８】
本発明のランプ保護カバー取付け構造の第２実施形態は、上述した第１実施形態と同様であるために、説明は省略するが、特に、第２実施形態によれば、ランプ保護カバー５０が、本体被覆部と光源被覆部とを一体に形成したカバー本体５１を備えているために、製造を簡単に行えて、工数の大幅な削減を図ることができる。
【００４９】
なお、本発明は、前述した実施形態に限定されるものではなく、適宜、変形、改良等が自在である。例えば、機能部の光源は、図示した単一に代えて、例えばＬＥＤ等を複数個組み込んでも良い。
【００５０】
また、意匠部の機能部固定用板が挿入されることで、機能部の機能部側係合部からカバー側被係合部を外す手段としては、図示したものに何ら限定されることはなく、例えば、天板から側板に沿って形成された可撓片の内側に設けたり、側板の一部を可撓させるようにしたりしても良い。
【図面の簡単な説明】
【００５１】
【図１】本発明のランプ保護カバー取付け構造の第１実施形態を用いたランプ保護カバーの外観斜視図である。
【図２】図１に示したランプ保護カバーのI−I線断面図である。
【図３】図１に示したランプ保護カバーのII−II線断面図である。
【図４】図１に示したランプ保護カバーの使用状態を説明する外観斜視図である。
【図５】図４に示したランプ保護カバーの組み付け手順を説明する第１段階の縦断面図である。
【図６】ランプ保護カバーの組み付け手順を説明する第２段階の縦断面図である。
【図７】ランプ保護カバーの組み付け手順を説明する第３段階の縦断面図である。
【図８】ランプ保護カバーの組み付け手順を説明する第４段階の縦断面図である。
【図９】本発明のランプ保護カバー取付け構造の第２実施形態を用いたランプ保護カバーの外観斜視図である。
【図１０】図９に示したランプ保護カバーの組み付け手順を説明する縦断面図である。
【図１１】従来のランプ保護カバー取付け構造の概略図である。
【符号の説明】
【００５２】
１                      ランプ
１０，５０              ランプ保護カバー
１４                    一方の光源被覆部（光源被覆部）
１５                    他方の光源被覆部（光源被覆部）
２４，２５，５８，５９  カバー側被係合部
３０                    機能部
３２                    光源
３４，３５              機能部側係合部
４０                    意匠部
４３，４４              解除部
４５，４６              意匠部側被係合部
【図１】
2007230254.tif 000003
【図２】
2007230254.tif 000004
【図３】
2007230254.tif 000005
【図４】
2007230254.tif 000006
【図５】
2007230254.tif 000007
【図６】
2007230254.tif 000008
【図７】
2007230254.tif 000009
【図８】
2007230254.tif 000010
【図９】
2007230254.tif 000011
【図１０】
2007230254.tif 000012
【図１１】
2007230254.tif 000013